(57)【要約】【課題】特別なセンサや駆動部などを設けなくても、着信時にレシーバ部の位置をユーザが容易に確認できるようにする。【解決手段】中央制御部１１は、無線通信部１４によって着信が検出されている場合に、その相手の通話音を出力するレシーバ部８から当該レシーバ部位置への誘導用として誘導音を発生させる。これによって無線通信部１４からの着信時には、当該携帯電話機のレシーバ部８の位置を確認してから（ユーザの耳にレシーバ部８を合わせてから）相手の通話音を聞くことができる。【選択図】  図２
2010081174.tif 000002
【特許請求の範囲】
【請求項１】
通話機能を備える通信端末装置であって、
前記通話機能への着信を検出する着信検出手段と、
この着信検出手段によって着信が検出されている場合に、その相手の通話音を出力するレシーバ部から当該レシーバ部の位置にユーザを誘導させるための誘導音を発生させる誘導音制御手段と、
を具備したことを特徴とする通信端末装置。
【請求項２】
装置本体を構成する複数の筐体が可動自在に連結されている状態において、前記複数の筐体の位置関係を検出して前記装置本体のスタイルを検出するスタイル検出手段を更に備え、
前記誘導音制御手段は、前記スタイル検出手段が複数の筐体の位置関係が所定の関係に変化したことを検出した際に、前記誘導音を発生させる、
ようにしたことを特徴とする請求項１記載の通信端末装置。
【請求項３】
前記誘導音制御手段は、前記レシーバ部からの誘導音の発生又は停止を指示する誘導音操作子が操作された際に、その操作に応じて誘導音の発生又は停止を制御する、
ようにしたことを特徴とする請求項１記載の通信端末装置。
【請求項４】
前記誘導音制御手段は、前記相手との通話開始又は終了を指示する通話操作子が操作された際に、その操作に応じて誘導音の発生又は停止を制御する、
ようにしたことを特徴とする請求項１記載の通信端末装置。
【請求項５】
前記誘導音が発生してからの経過時間を計時する計時手段を更に備え、
前記誘導音制御手段は、前記計時手段が所定時間の経過を検出した際に、前記誘導音を停止させる、
ようにしたことを特徴とする請求項１記載の通信端末装置。
【請求項６】
前記相手からの通話音量を検出する音量検出手段を更に備え、
前記誘導音制御手段は、前記音量検出手段によって通話音量が所定の音量以上であることが検出された際に、前記誘導音を停止させる、
ようにしたことを特徴とする請求項１記載の通信端末装置。
【請求項７】
前記相手との通話のためのマイクを更に備え、
前記音量検出手段は、前記マイクが収音する音量の変化を用いて前記相手からの通話音量を検出する、
ようにしたことを特徴とする請求項６記載の通信端末装置。
【請求項８】
前記着信検出手段が着信を検出した際に着信報知音を発生させ、前記誘導音の発生時には前記着信報知音を停止させる着信報知制御手段を更に備える、
ようにしたことを特徴とする請求項１記載の通信端末装置。
【請求項９】
コンピュータに対して、
通話機能への着信を検出する機能と、
前記着信が検出されている場合に、その相手の通話音を出力するレシーバ部から当該レシーバ部の位置にユーザを誘導させるための誘導音を発生する機能と、
を実現させるためのプログラム。
【発明の詳細な説明】
【技術分野】
【０００１】
この発明は、通話機能を備える通信端末装置及びプログラムに関する。
【背景技術】
【０００２】
一般に、電話機においては、着信時にレシーバをユーザの耳に密着させる際に、耳の穴にレシーバが位置するようにレシーバを手で調整するようにしているが、その位置が合わないと、相手からの通話音を正常に聞くことが難しく、相手の最初の通話などを聞き逃すことがあった。また、通話中においてもレシーバの位置がずれないように、気を遣いながら通話をしなければならなかった。
そこで、従来では、耳の穴の特徴に基づいて穴の位置情報を感知する感知部を備えることによりレシーバの方向を制御するようにした技術が知られている（特許文献１参照）。
【特許文献１】特開２００７−２２７９８７号公報
【発明の開示】
【発明が解決しようとする課題】
【０００３】
しかしながら、上述した先行技術にあっては、耳の穴を感知する特殊なセンサやレシーバの方向（音声信号の出力方向）を調節するための駆動部などを搭載しなければならないという問題があった。
【０００４】
この発明の課題は、特別なセンサや駆動部などを設けなくても、着信時にレシーバ部の位置をユーザが容易に確認できるようにすることである。
【課題を解決するための手段】
【０００５】
上述した課題を解決するために請求項１記載の発明は、通話機能を備える通信端末装置であって、前記通話機能への着信を検出する着信検出手段と、この着信検出手段によって着信が検出されている場合に、その相手の通話音を出力するレシーバ部から当該レシーバ部の位置にユーザを誘導させるための誘導音を発生させる誘導音制御手段と、を具備したことを特徴とする。
【０００６】
請求項１に従属する発明として、装置本体を構成する複数の筐体が可動自在に連結されている状態において、前記複数の筐体の位置関係を検出して前記装置本体のスタイルを検出するスタイル検出手段を更に備え、前記誘導音制御手段は、前記スタイル検出手段が複数の筐体の位置関係が所定の関係に変化したことを検出した際に、前記誘導音を発生させる、ようにしたことを特徴とする請求項２記載の発明であってもよい。
【０００７】
請求項１に従属する発明として、前記誘導音制御手段は、前記レシーバ部からの誘導音の発生又は停止を指示する誘導音操作子が操作された際に、その操作に応じて誘導音の発生又は停止を制御する、ようにしたことを特徴とする請求項３記載の発明であってもよい。
【０００８】
請求項１に従属する発明として、前記誘導音制御手段は、前記相手との通話開始又は終了を指示する通話操作子が操作された際に、その操作に応じて誘導音の発生又は停止を制御する、ようにしたことを特徴とする請求項４記載の発明であってもよい。
【０００９】
請求項１に従属する発明として、前記誘導音が発生してからの経過時間を計時する計時手段を更に備え、前記誘導音制御手段は、前記計時手段が所定時間の経過を検出した際に、前記誘導音を停止させる、ようにしたことを特徴とする請求項５記載の発明であってもよい。
【００１０】
請求項１に従属する発明として、前記相手からの通話音量を検出する音量検出手段を更に備え、前記誘導音制御手段は、前記音量検出手段によって通話音量が所定の音量以上であることが検出された際に、前記誘導音を停止させる、ようにしたことを特徴とする請求項６記載の発明であってもよい。
【００１１】
請求項６に従属する発明として、前記相手との通話のためのマイクを更に備え、
前記音量検出手段は、前記マイクが収音する音量の変化を用いて前記相手からの通話音量を検出する、ようにしたことを特徴とする請求項７記載の発明であってもよい。
【００１２】
請求項１に従属する発明として、前記着信検出手段が着信を検出した際に着信報知音を発生させ、前記誘導音の発生時には前記着信報知音を停止させる着信報知制御手段を更に備える、ようにしたことを特徴とする請求項８記載の発明であってもよい。
【００１３】
また、上述した課題を解決するために請求項９記載の発明は、コンピュータに対して、通話機能への着信を検出する機能と、前記着信を検出した場合に、その相手の通話音を出力するレシーバ部から当該レシーバ部の位置にユーザを誘導させるための誘導音を発生する機能と、を実現させるためのプログラムを特徴とする。
【発明の効果】
【００１４】
この発明によれば、特別なセンサや駆動部などを設けなくても、ユーザにあっては着信時にレシーバ部の位置を容易に確認することができ、ユーザの耳の穴にレシーバ部を正確に合わせてから相手の通話音を聞くことができ、その通話音の聞き逃しを確実に防ぐことが可能となる。
【発明を実施するための最良の形態】
【００１５】
（実施形態１）
以下、図１〜図４を参照して本発明の第１実施形態を説明する。
この実施形態は、通信端末装置として携帯電話機に適用した場合を例示したもので、図１は、この携帯電話機の外観図である。
この携帯電話機は、その装置本体を構成する２つの操作側筐体１、表示側筐体２をヒンジ部３を介して開閉可能に取り付けた折り畳み型で、この操作側筐体１、表示側筐体２の位置関係に応じて装置本体の形態として複数のスタイルに変更可能となっている。図１（ａ）、（ｂ）は、２つの操作側筐体１、表示側筐体２を折り畳んだ状態のクローズスタイルを示したもので、図１（ａ）は、クローズスタイルでの正面図、（ｂ）は、クローズスタイルでの側面図を示している。図１（ｃ）、（ｄ）は、２つの操作側筐体１、表示側筐体２の折り畳みを開いた状態のオープンスタイルを示したもので、図１（ｃ）は、オープンスタイルでの正面図、（ｄ）は、オープンスタイルでの側面図を示している。
【００１６】
このオープンスタイルにおいて、操作側筐体１の内面には通話操作子としてのオフフック釦４、オンフック釦５などの各種の釦のほか、通話時にユーザの音声を入力する通話用のマイク部６が設けられている。表示側筐体２の内面には表示部７のほか、通話時に相手の通話音を出力する通話用のスピーカ部（レシーバ部）８が設けられている。また、表示側筐体２の外面には、着信報知用スピーカ９が設けられている。また、操作側筐体１の一側面には、誘導音用釦（誘導音操作子）１０が設けられている。この誘導音用釦１０は、着信時にユーザの耳をレシーバ部８の位置に誘導させるための誘導音（例えば、ピー、ピーなどの断続音）の発生を指示する操作子で、誘導音の発生中にオンフック釦５が操作されると、この誘導音は停止される。
【００１７】
図２は、携帯電話機の基本的な構成要素を示したブロック図である。
携帯電話機には、通話機能、電子メール機能、インターネット接続機能（Ｗｅｂアクセス機能）、コンテンツ再生機能などが備えられている。そして、携帯電話機は、例えば、最寄りの基地局から無線通信網に接続されると、この無線通信網を介して他の携帯電話機との間で通話可能状態となったり、電子メールの送受信が可能な状態となり、また、無線通信網を介してインターネットに接続されると、Ｗｅｂサイトをアクセスして閲覧可能となったりする。
【００１８】
中央制御部１１は、二次電池を備えた電源部１２からの電力供給によって動作し、記憶部１３内の各種のプログラムに応じてこの携帯電話機の全体動作を制御する中央演算処理装置やメモリなどを有している。記憶部１３には、後述する図３、図４に示す動作手順に応じて本実施形態を実現するためのプログラムや各種のアプリケーションなどが格納されているほか、それに必要な各種の情報が記憶されている。無線通信部１４は、無線部、ベースバンド部、多重分離部などを備え、例えば、通話機能、電子メール機能、インターネット接続機能の動作時に、最寄りの基地局との間でデータの送受信を行うもので、通話機能の動作時にはベースバンド部の受信側から通話音を取り込んで受信ベースバンド信号に復調したのち、音声信号処理部１５を介して通話用のレシーバ部８から音声出力させ、また、通話用のマイク部６からの入力音声を音声信号処理部１５から取り込み、送信ベースバンド信号に符号化したのち、ベースバンド部の送信側に与えてアンテナから発信出力させる。
【００１９】
音声信号処理部１５は、上述のように音声処理するほか、無線通信部１４によって着信が検出されている場合に、ユーザの耳をレシーバ部８の位置に誘導させるための誘導音をレシーバ部８から一定の条件下で発生させたり、それを停止させたりする制御を行う。着信報知用スピーカ９は、着信時にメロディ音などの着信報知音を出力するサウンドスピーカであり、中央制御部１１は、着信検出時に着信報知用スピーカ９を駆動して着信報知音を発生させるが、上述の誘導音の発生中にオンフック釦５が操作されると、この着信報知音を停止させる。
【００２０】
表示部７は、高精細液晶あるいは有機ＥＬなどを使用し、例えば、文字情報、待受画像など、各種の情報を表示させる。操作部１６は、ダイヤル入力、文字入力、コマンド入力などを入力するもので、上述したオンフック釦５、オフフック釦４、誘導音用釦１０などが備えられており、中央制御部１１は、操作部１６から操作入力信号を取り込むと、その操作に応じた処理を実行する。アプリ処理関係部１７は、電子メール機能、インターネット接続機能、コンテンツ再生機能などのアプリケーション処理に関する情報を記憶したり、その処理に関する制御を行ったりする。
【００２１】
着信報知用バイブレータ１８は、振動モータを有する構成で、無線通信部１４によって着信が検出された際に、着信報知用スピーカ９を駆動する代わりに駆動されることによって着信報知用バイブレーションを発生させる。スタイル検出部１９は、操作側筐体１と表示側筐体２との連結状態（位置関係）に応じて装置本体のスタイル（クローズスタイル、オープンスタイル）を検出するもので、中央制御部１１は、無線通信部１４によって着信が検出されている場合に、スタイル検出部１９によって複数の筐体１、２の位置関係が所定の関係（特定のスタイル）に変化したことが検出された際に、例えば、クローズスタイルからオープンスタイルへの変更が検出された際に、レシーバ部８を駆動して誘導音を発生させる。計時部２０は、現在日時を計時する時計部を構成するほか、時間を計測するタイマを構成するもので、中央制御部１１は、計時部２０から現在日時、計測時間（タイマ時間）を取得する。
【００２２】
次に、この第１実施形態における携帯電話機の動作概念を図３及び図４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用してこの実施形態特有の動作を実行することもできる。
【００２３】
図３は、電源投入に伴って実行開始される携帯電話機の全体動作の概要を示したフローチャートである。
先ず、中央制御部１１は、電源スイッチのＯＮ操作に応答して（ステップＡ１でＹＥＳ）、電源部１２を駆動させて携帯電話機１の各部位に電力を供給させるほか、所定のメモリなどを初期化する電源オン処理を実行する（ステップＡ２）。そして、所定の待受画像を読み出して表示させる待ち受け状態において（ステップＡ３）、無線通信部１４によって着信が検出されたかを調べる（ステップＡ４）。
【００２４】
いま、着信を検出したときには（ステップＡ４でＹＥＳ）、着信報知用スピーカ９あるいは着信報知用バイブレータ１８を駆動して着信報知を行ったのち（ステップＡ５）、後述する誘導音発生処理に移る（ステップＡ６）。その後、上述のステップＡ３に戻って待ち受け状態となる。また、着信待ち状態において何らかのユーザ操作を検出すると（ステップＡ７でＹＥＳ）、それは電源オフ操作であるか、あるいはその他の操作であるかを調べ（ステップＡ８）、電源ＯＦＦ操作が行われたときには（ステップＡ８でＹＥＳ）、電源ＯＦＦ処理を実行し（ステップＡ９）、電源オフ操作以外のその他の操作が行われたときには（ステップＡ８でＮＯ）、その操作に応じて発信処理や音楽再生処理などのアプリケーション処理を実行する（ステップＡ１０）。その後、上述のステップＡ３に戻って待ち受け状態となる。
【００２５】
図４は、誘導音発生処理（図３のステップＡ６）を詳述するためのフローチャートである。
先ず、中央制御部１１は、スタイル検出部１９をアクセスして所定のスタイルに変更されたか、例えば、着信報知を確認したユーザが通話可能な状態とするためにクローズスタイルからオープンスタイルに変更されたかを調べ（ステップＢ１）、所定のスタイル（オープンスタイル）に変更されるまで待機状態となる。いま、所定のスタイルに変更されると（ステップＢ１でＹＥＳ）、スタイル対応誘導音モードに設定されているかを調べる（ステップＢ２）。
【００２６】
このスタイル対応誘導音モードは、無線通信部１４によって着信が検出されている場合に、特定スタイルへの変更に応じて誘導音を自動発生させる動作モードであり、予めユーザ操作によって任意に設定可能となっている。いま、このスタイル対応誘導音モードに設定されていなければ（ステップＢ２でＮＯ）、誘導音用釦１０の操作有無を調べる（ステップＢ３）。ここで、誘導音用釦１０が操作されなければ（ステップＢ３でＮＯ）、次のステップＢ６に移り、着信応答操作（オフフック操作）の有無を調べるが、スタイル対応誘導音モードに設定されている場合（ステップＢ２でＹＥＳ）、あるいはスタイル対応誘導音モードに設定されていなくても誘導音用釦１０が操作された場合には（ステップＢ３でＹＥＳ）、レシーバ部８を駆動させて誘導音の発生を開始させる（ステップＢ４）。そして、着信報知用スピーカ９あるいは着信報知用バイブレータ１８の駆動を停止させて着信報知を終了させたのち（ステップＢ５）、次のステップＢ６に移り、着信応答操作（オフフック操作）の有無を調べる。
【００２７】
ここで、オフフック釦４が操作されるまでの間（ステップＢ６でＮＯ）、相手側からの回線遮断による着信終了かを調べるが（ステップＢ１２）、オフフック釦４が操作されると（ステップＢ６でＹＥＳ）、誘導音の発生中かを調べ（ステップＢ７）、誘導音の発生中であれば、レシーバ部８の駆動を停止させて誘導音の発生を停止させ（ステップＢ８）、誘導音の発生中でなければ（ステップＢ７でＮＯ）、着信報知用スピーカ９あるいは着信報知用バイブレータ１８の駆動を停止させて着信報知を終了させたのち（ステップＢ９）、通話処理を行う（ステップＢ１０）。
【００２８】
そして、回線を遮断して通話を終了させるための操作として、オンフック釦５が操作されたかを調べ（ステップＢ１１）、オンフック釦５が操作されるまでステップＢ１０に戻って通話可能状態を維持するが、オンフック釦５が操作されると、図３のステップＡ３に戻って待ち受け状態となる。また、相手側からの着信終了を検出した場合に（ステップＢ１２でＹＥＳ）、着信報知中であるかを調べる（ステップＢ１３）。いま、着信終了の検出時に、着信報知中でなければ（ステップＢ１３でＮＯ）、図３のステップＡ３に戻って待ち受け状態となるが、着信報知中であれば（ステップＢ１３でＹＥＳ）、着信報知用スピーカ９あるいは着信報知用バイブレータ１８の駆動を停止させて着信報知を終了させたのち（ステップＢ１４）、図３のステップＡ３に戻って待ち受け状態となる。
【００２９】
以上のように、この第１実施形態において中央制御部１１は、無線通信部１４によって着信が検出されている場合に、その相手の通話音を出力するレシーバ部８から当該レシーバ部位置への誘導用として誘導音を発生させるようにしたので、特別なセンサや駆動部などを設けなくても、ユーザにあっては着信時にレシーバの位置を確認してから相手の通話音を聞くことができる。言い換えれば、ユーザの耳の穴にレシーバ部を正確に合わせてから相手の通話音を聞くことができるので、その通話音の聞き逃しを確実に防ぐことが可能となる。
【００３０】
無線通信部１４によって着信が検出されている場合に、スタイル検出部１９によって特定スタイルへの変更が検出された際に、レシーバ部８から誘導音を発生させるようにしたので、着信報知を確認したユーザが通話可能な状態とするためにクローズスタイルからオープンスタイルに変更したタイミングで誘導音を発生させることができる。すなわち、通話が可能なスタイルへの変更時に誘導音を発生させることができるので、ユーザは誘導音を発生させるために特別な操作をする必要がない。
【００３１】
無線通信部１４によって着信が検出されている場合に、誘導音用釦１０が操作された際に、誘導音を開始させるようにしたので、ユーザの意向に応じて誘導音を発生させることができる。この誘導音用釦１０は、操作側筐体１の一側面に設けられているので、クローズスタイルでも操作可能であり、オープンスタイルに変更する前から誘導音を発生させることができる。また、誘導音を発生させるための専用の操作子を操作することにより、ユーザは確実に誘導音の発生を指示することができる。
【００３２】
誘導音の発生中にオンフック釦５が操作されると、この誘導音を停止するようにしたので、ユーザの耳の穴にレシーバ部を正確に合わせてから相手の通話音を聞くことができ、相手の通話音の聞き逃しを確実に防ぐことが可能となる。また、誘導音を発生させるための専用の操作子を設けることなく、通話のための通話操作子を操作することにより、ユーザは誘導音の停止を指示することができる。
【００３３】
誘導音の発生時には着信報知音を停止するようにしたので、ユーザにあっては静音化によって誘導音に集中することができるほか、節電対策上有効なものとなる。この場合、着信報知音を停止しても誘導音により着信を認識することができる。
【００３４】
上述した第１実施形態においては、２つの操作側筐体１、表示側筐体２をヒンジ部３を介して開閉可能に取り付けた折り畳み型の携帯電話機を例示したが、これに限らず、例えば、操作側筐体１、表示側筐体２とを折り畳み開閉自在及び回動自在に連結した２軸ヒンジタイプの携帯電話機であってもよい。その他、リバーシブルタイプ、スライドタイプなどの携帯電話機でよく、どのようなタイプの携帯電話機であってもよい。
【００３５】
（実施形態２）
以下、この発明の第２実施形態について図５を参照して説明する。
なお、上述した第１実施形態においては、無線通信部１４によって着信が検出されている場合に、誘導音の発生タイミングを特定スタイルへの変更検出時と誘導音用釦１０の操作時とし、誘導音の停止タイミングをオフフック釦４の操作時としたが、第２実施形態においては、誘導音の発生タイミングをオフフック釦４の操作時とし、また、誘導音の停止タイミングを誘導音発生後の所定時間経過時、受信音量変化検出時、誘導音用釦１０の操作時、オンフック釦５の操作時とするようにしたものである。そして、第２実施形態における誘導音用釦１０は、誘導音の発生を指示するものではなく、その停止を指示する操作子である。ここで、両実施形態において基本的あるいは名称的に同一のものは、同一符号を付して示し、その説明を省略すると共に、以下、第２実施形態の特徴部分を中心に説明するものとする。
【００３６】
図５は、第２実施形態における誘導音発生処理（図３のステップＡ６）を詳述するためのフローチャートである。なお、図３のフローチャートは、第２実施形態においても同様であるため、その説明は省略するものとする。
先ず、中央制御部１１は、無線通信部１４によって着信が検出されている状態において、オフフック釦４の操作有無を調べたり（ステップＣ１）、相手側からの回線遮断による着信終了かを調べたりする（ステップＣ１４）。いま、相手側からの着信終了を検出すると（ステップＣ１４でＹＥＳ）、着信報知用スピーカ９あるいは着信報知用バイブレータ１８の駆動を停止させて着信報知を終了させたのち（ステップＣ１５）、図３のステップＡ３に戻って待ち受け状態となる。
【００３７】
また、オフフック釦４が操作されると（ステップＣ１でＹＥＳ）、着信報知用スピーカ９あるいは着信報知用バイブレータ１８の駆動を停止させて着信報知を終了させたのち（ステップＣ２）、レシーバ部８を駆動させて誘導音の発生を開始させる（ステップＣ３）。そして、誘導音自動オフ設定の有無を調べる（ステップＣ４）。この“誘導音自動オフ設定”は、誘導音の発生中に一定の条件成立に応じて誘導音を自動的に停止することを示すもので、予めユーザ操作によって任意に設定されたものである。
【００３８】
いま、誘導音自動オフが設定されていなければ（ステップＣ４でＮＯ）、誘導音用釦１０が操作されたかを調べるが（ステップＣ５）、オフフック釦４の操作直後に誘導音用釦１０が操作されなければ、通話処理に移る（ステップＣ１０）。また、オフフック釦４の操作直後に誘導音用釦１０が操作されて誘導音の停止が指示された場合には（ステップＣ５でＹＥＳ）、この誘導音用釦１０の操作に応答して誘導音を停止させたのち（ステップＣ９）、通話処理に移る（ステップＣ１０）。
【００３９】
一方、誘導音自動オフが設定されていれば（ステップＣ４でＹＥＳ）、誘導音発生後所定時間経過時／受信音量変化検出時に誘導音を自動停止させる処理に移る（ステップＣ６〜Ｃ９）。すなわち、誘導音の発生開始時に計測動作を開始する計時部２０からタイマ時間を取得し、このタイマ時間に基づいて誘導音を発生させてから所定時間（例えば、数秒）が経過したかを調べたり（ステップＣ６）、相手からの通話音量を受信音量として計測し（ステップＣ７）、その計測値が予め決められている閾値以上（所定音量以上）かを調べたりする（ステップＣ８）。この場合、相手からの通話信号を受信した際にその音量レベルを検出して通話音量の変化を計測するようにしているが、通話用マイク部６から収音した通話音量の変化を計測するようにしてもよい。
【００４０】
ここで、上述の所定時間が経過する前に（ステップＣ６でＮＯ）、相手の通話音として“もしもし”など検出した場合にその音量の計測値が上述の閾値以上であれば（ステップＣ８でＹＥＳ）、誘導音を停止させる（ステップＣ９）。また、所定時間が経過すると（ステップＣ６でＹＥＳ）、誘導音を停止させる（ステップＣ９）。そして、通話処理を行い（ステップＣ１０）、オンフック釦５が操作されるまで通話可能状態を維持するが（ステップＣ１０、Ｃ１１）、オンフック釦５が操作されると、誘導音が停止中でないことを条件に（ステップＣ１２でＮＯ）、誘導音を停止させる（ステップＣ１３）。その後、図３のステップＡ３に戻って待ち受け状態となる。
【００４１】
以上のように、この第２実施形態においては、無線通信部１４によって着信が検出されている場合に、オフフック釦４が操作された際に誘導音を発生させるようにしたので、通話応答時に誘導音を発生させることができる。また、誘導音を発生させるための専用の操作子を設けることなく、通話のための通話操作子を操作することにより、ユーザは誘導音の停止を指示することができる。
【００４２】
誘導音の発生中に誘導音用釦１０の操作に応じて誘導音を停止させるようにしたので、ユーザの意向に応じて誘導音を停止させることができる。また、誘導音を発生させるための専用の操作子を操作することにより、ユーザは確実に誘導音の発生を指示することができる。
【００４３】
誘導音が発生してから所定時間の経過を検出した際に、誘導音を停止させるようにしたので、誘導音発生から所定の時間がたてば、ユーザが操作することなく、自動的に誘導音を停止させることができる。
【００４４】
相手からの通話音量が所定の音量以上であることが検出された際に、誘導音を停止させるようにしたので、ユーザが操作することなく、相手の最初の通話（相手からの第一声）で誘導音を自動停止させることができる。
【００４５】
相手からの通話音量を検出（計測）する場合に、通話用マイク部６が収音する音量の変化を用いて相手からの通話音量を検出するようにすれば、通話用マイク部６を音量検出用マイクとして兼用することができ、専用のセンサなどを設けることなく、自動的に誘導音を停止させることができる。
【００４６】
なお、上述した各実施形態においては、誘導音を断続音とした場合を例示したが、例えば、徐々に周波数が高くなるような連続音を誘導音としてもよい。
また、上述した各実施形態において誘導音用釦１０は、それが操作される毎に誘導音の発生と停止とを交互に切り替える切替操作子であってもよい。
その他、通信端末装置としては携帯電話機に限らず、通話機能を備えるＰＤＡ（個人用の携帯情報端末）などのほか、固定電話自体であってもよい。
【図面の簡単な説明】
【００４７】
【図１】通信端末装置として適用した携帯電話機の外観図。
【図２】携帯電話機の基本的な構成要素を示したブロック図。
【図３】電源投入に伴って実行開始される携帯電話機の全体動作の概要を示したフローチャート。
【図４】誘導音発生処理（図３のステップＡ６）を詳述するためのフローチャート。
【図５】第２実施形態における誘導音発生処理（図３のステップＡ６）を詳述するためのフローチャート。
【符号の説明】
【００４８】
１  操作側筐体
２  表示側筐体
３  ヒンジ部
４  オフフック釦
５  オンフック釦
６  通話用マイク部
７  表示部
８  レシーバ部
９  着信報知用スピーカ
１０  誘導音用釦
１１  中央制御部
１３  記憶部
１４  無線通信部
１５  音声信号処理部
１６  操作部
１８  着信報知用バイブレータ
１９  スタイル検出部
２０  計時部
【図１】
2010081174.tif 000003
【図２】
2010081174.tif 000004
【図３】
2010081174.tif 000005
【図４】
2010081174.tif 000006
【図５】
2010081174.tif 000007